(57)【特許請求の範囲】
【請求項１】
第一筐体と、
第二筐体と、
前記第一筐体と前記第二筐体とを開閉可能に連結するヒンジ部とを有し、
前記ヒンジ部は、前記第一筐体または前記第二筐体の端部に構成された中空部と該中空部に挿通して固定される筒状のヒンジとで構成し、
前記筒状のヒンジに抜け止め部を設け、
前記第一筐体または前記第二筐体内に前記筒状のヒンジに対して開閉する軸方向の移動を規制する抜け止め防止部材を設け、
前記第一筐体または前記第二筐体内に設けた前記抜け止め防止部材を前記筒状のヒンジに設けた抜け止め部に当接し、
前記筒状のヒンジの外周部分と前記抜け止め防止部材に導電性の部材を用い、
前記筒状のヒンジの外周部分に前記抜け止め防止部材を当接して電気的に接続するとともに、
前記抜け止め防止部材を前記第一筐体または前記第二筐体内のプリント基板に電気的に接続し、前記筒状のヒンジの外周部分に前記第一筐体または前記第二筐体内のプリント基板から給電して、アンテナとして用いるよう構成したことを特徴とする折り畳み式携帯電話機。
【請求項２】
前記筒状のヒンジの抜け止め部を前記ヒンジの表面から突出して形成した、請求項１に記載の折り畳み式携帯情報端末装置。
【発明の詳細な説明】
【技術分野】
【０００１】
本発明は折り畳み式携帯情報端末装置に関し、特にヒンジ抜け止め手段を設けた折り畳み式携帯情報端末装置に関する。
【背景技術】
【０００２】
従来から、第一筐体と第二筐体をヒンジ部で回転自在に連結し、折り畳んで収納できるようにした折り畳み式携帯情報端末装置が知られている。そして、折り畳み式携帯情報端末装置の中には、ヒンジ部の軸方向の端部に小さいストロークで押し込み可能なワンタッチオープン釦を設け、このワンタッチオープン釦を押すことで筐体をワンタッチで開けるようにして、操作性を高めたものが実用化されている。
【０００３】
図７に、ワンタッチオープン釦を設けた従来の携帯情報端末装置の一つである折り畳み式携帯電話機６０の外観斜視図を示す。図７に示すように、折り畳み式携帯電話機６０は、操作部６１のある第一筐体６２に中空穴のあいたヒンジ固定部６２ａと６２ｂを設け、ヒンジ固定部６２ａと６２ｂの間に、第二筐体６４の中空穴のあいたヒンジ固定部６４ａを挟んだ状態で、第一ヒンジ６５と第二ヒンジ６６をそれぞれ挿入している。このことにより、第一筐体６２に対して第二筐体６４を回転自在に連結している。なお、第一ヒンジ６５の固定筒７２には、後述するバネとカムを内蔵し、端部にワンタッチオープン釦６７を設けている。
【０００４】
折り畳み式携帯電話機６０については、第一筐体６２の上に第二筐体６４を重ねて折り畳んだ状態で持ち運び、使用時には、ワンタッチオープン釦６７を親指などでＡ矢印のように押して、第二筐体６４をＢ矢印のように開けて使用する。
【０００５】
図８に、折り畳み式携帯電話機６０のワンタッチオープン釦６７が付いている第一ヒンジ６５の近傍の部分断面図を示す。第一ヒンジ６５の構造について、固定筒７２に設けられたスナップフィット部７２ａは、第二筐体６４のヒンジ固定部６４ａの底面部６４ｂに設けられた穴６４ｃに挿通して抜け止め固定されている。固定筒７２のスナップフィット部７２ａは、第一ヒンジ６５の抜け止め防止手段として機能している。
【０００６】
固定筒７２の内部には、バネ６８、６９とカム７０、７１を内蔵している。カム７０と７１は、バネ６８と６９の間に挟まれている。カム７０は、ワンタッチオープン釦６７に固定した軸６７ａの先端に設けてある。軸６７ａは第一筐体６２のヒンジ固定部６２ａにより図８の左右方向にスライド自在に支えられており、ワンタッチオープン釦６７を図８の左から右に親指などで押すことができる（例えば、特許文献１参照）。
【０００７】
カム７０は、図示しない開閉ロック手段をロックしたりロックを解除したりする。ワンタッチオープン釦６７を図８の左から右に指で押し込むと、カム７０がカム７１を回転させる。カム７１が回転すると、図示しない開閉ロック手段のロックが外れる。開閉ロック手段のロックが外れると、第二ヒンジ６６に設けた図示しないねじりバネの力により第二筐体６４が開く。第二筐体６４が所定角度だけ開くと、所定角度で開閉ロック手段がロックする。ワンタッチオープン釦６７を押すのをやめると、バネ６９によってワンタッチオープン釦６７は押し戻される。その後、第二筐体６４を手で押して閉じる動作をすると、開閉ロック手段のロックは一度外れ、第二筐体６４が閉じたときにロックされる。このように、従来のワンタッチオープン釦６７を設けた携帯電話機６０では、簡単にワンタッチオープンすることができる。また、手で閉じることができる。
【０００８】
なお、折り畳み式携帯情報端末装置の一つである折り畳み式携帯電話機では、第一ヒンジの固定筒７２を導電性部材からなるヒンジ構造体として、ヒンジ構造体に給電を行う給電部とを備え、第一ヒンジをアンテナとして活用することも提案されている。この場合、給電部と抜け止め部を近接して設ける必要があり、それぞれ十分な空間を確保することが難しかった。また、固定筒７２を導電性部材としたときは、前述した弾性のあるスナップフィット部７２ａを形成することが難しかった（例えば、特許文献２参照）。
【０００９】
他の従来のワンタッチオープン釦を設けた携帯電話機ヒンジ部の構造には、ヒンジ部を抜け止め固定するために、図９に示すように、第一筐体７３のヒンジ固定部７３ａにヒンジ部の筒部７４を嵌め込み、ヒンジ部の軸と直交する方向にネジ７５でネジ止め固定して、抜けないようにしたものが知られている（例えば、特許文献３参照）。
【特許文献１】特開２００２−３４４５９７号公報
【特許文献２】特開２００７−８８６９２号公報
【特許文献３】特開平１１−４１３２８号公報
【発明の開示】
【発明が解決しようとする課題】
【００１０】
ワンタッチオープン釦を設けた上記従来の携帯情報端末装置では、開閉の都度、ワンタッチオープン釦６７が押される。ワンタッチオープン釦６７を何度も何度も繰り返して押したときは、ワンタッチオープン釦６７を押した力は、合成樹脂でできたスナップフィット部７２ａが嵌め込まれている第二筐体６４のヒンジ固定部６４ａの底面部６４ｂを繰り返し押すことになる。そしてワンタッチオープン釦６７を放すと、ヒンジ固定部の底面部６４ｂを押す力は無くなり、代わりに固定筒７２の内部で圧縮されていたバネ６９が元に戻ろうとする。このときの動きで、わずかではあるがスナップフィット部７２ａを底面部６４ｂから引き抜く力が生じることがある。スナップフィット部７２ａと底面部６４ｂの嵌合状態については、これらの力の繰り返しにより、スナップフィット部７２ａの穴６４ｃに嵌合している部分が磨耗してガタができる可能性がある。また、スナップフィット部７２ａが繰り返し疲労により破損したりする可能性がある。
【００１１】
また前記従来の構成では、固定筒７２およびスナップフィット部７２ａを樹脂で構成していたため、携帯電話機６０を落下させるなど第一筐体６２や第二筐体６４に強い衝撃を与えた際、衝撃力によってスナップフィット部７２ａと底面部６４ｂの穴６４ｃの間にガタが生じたり、スナップフィット部７２ａが破損したり、底面部６４ｂが割れたりするおそれがある。その結果、極端な場合、第一ヒンジ６５が固定筒７２ごと抜けることも想定される。
【００１２】
そして図９で示したヒンジ部の筒部７４をヒンジの軸と直交する方向にネジ７５で抜け止め固定した構造では、ネジ７５がヒンジ部の筒部７４にねじ込まれて抜け止め作用をするのであるが、携帯情報端末装置を誤って落下させたとき、ネジ７５の近傍に衝撃力が加わり、合成樹脂部でできたヒンジ固定部７３ａが変形したり、破断したりするおそれがあった。一方、ネジ７５の近傍の合成樹脂部が破断しないようにヒンジ固定部７３ａの肉厚を厚くすることは、携帯情報端末装置の小型化、薄型化に反し、デザイン上からも採用しにくかった。
【００１３】
本発明は、上記課題を解決し、携帯情報端末装置を誤って落下させて衝撃力が加わったときはもちろん、ワンタッチオープン釦を押して開閉する都度、ヒンジ軸方向の繰り返し力が作用しても、抜け止め固定部分が破損することのないワンタッチオープン釦を設けた携帯情報端末装置を実現することを第一の課題としている。
【００１４】
また本発明は、第一ヒンジの固定筒を導電性部材からなるヒンジ構造体として、ヒンジ構造体に給電を行う給電部を備え、ヒンジ部をアンテナとして活用するようにした携帯電話機において、給電部品と第一ヒンジの抜け止め部品を一つの部品で共用し、小型軽量したワンタッチオープン釦を設けた携帯電話機を実現することを第二の課題としている。
【課題を解決するための手段】
【００１５】
前記従来の課題を解決するため、本発明の折り畳み式携帯情報端末装置は、第一筐体と、第二筐体と、第一筐体と第二筐体とを開閉可能に連結するヒンジ部とを有し、ヒンジ部は、第一筐体または第二筐体の端部に構成された中空部と該中空部に挿通して固定される筒状のヒンジとで構成し、筒状のヒンジに抜け止め部を設け、第一筐体または第二筐体内に筒状のヒンジに対して開閉する軸方向の移動を規制する抜け止め防止部材を設け、第一筐体または前記第二筐体内に設けた抜け止め防止部材を筒状のヒンジに設けた抜け止め部に当接して、筒状のヒンジが抜けないように構成している。
【００１６】
この構成により、ワンタッチオープン釦を押して開閉動作を繰り返し、第一ヒンジの軸方向に力を与えたとしても、第一ヒンジの抜け止め部に変形及び磨耗を生じないヒンジ抜け防止を行うことができる。また、第一ヒンジの抜け止め部に接触する面積が小さくてもヒンジが抜けるのを防止することができ、接続板金と第一ヒンジとの接点を確保することができる。そして、携帯情報端末装置を誤って落下させて衝撃力が加わったとしても、抜け止め部は破損せず、第一ヒンジを安定的に保持することができる。
【００１７】
また、本発明の携帯電話機では、給電部品と第一ヒンジの抜け止め用の接続板金を一つの部品で共用している。そのため、小型軽量化したワンタッチオープン釦を設けた折り畳み式携帯電話機を実現することができる。
【発明の効果】
【００１８】
本発明によれば、第一ヒンジの軸方向に力が働くワンタッチオープン釦付き折り畳み式携帯端末で、第一ヒンジを安定的に抜け止め固定することができる。
【００１９】
また、第一ヒンジの固定筒を導電性部材からなるヒンジ構造体として、ヒンジ構造体に給電を行う給電部とを備え、第一ヒンジをアンテナとして活用する折り畳み式携帯電話機では、第一ヒンジを安定的に抜け止め固定するとともに、接続板金と第一ヒンジとの接点を確保することができる。そして、筐体の剛性を向上させることができる。更に、部品の共用化により、小型軽量化ができ、ヒンジ部と筐体のコストダウンを図ることができるという効果が得られる。
【００２０】
また、第一ヒンジの外径を小径化したり、軸方向に短くしたりして、接続板金が第一ヒンジに接触できる面積が減少しても、第一ヒンジをアンテナとして活用するためのアンテナ接点を確保することができる。その結果、筐体の剛性を向上することができる。
【００２１】
また、コストダウン及び関連部品の成形性、二次加工性を向上させる折り畳み式携帯電話機や折り畳み式携帯情報端末装置を提供することができる。
【発明を実施するための最良の形態】
【００２２】
以下に、本発明の実施の形態について図面を参照しながら説明する。ここでは、ワンタッチオープン釦を設けた折り畳み式携帯電話機について、第一ヒンジの固定筒を導電性部材からなるヒンジ構造体とし、このヒンジ構造体に給電を行う給電部とを備え、第一ヒンジをアンテナとして活用するものについて説明する。
【００２３】
（実施の形態１）
図１に、本発明の実施の形態１に係る折り畳み式携帯情報端末装置である携帯電話機１００の分解斜視図を示す。携帯電話機１００では、操作部１０１のある第一筐体１０２と、表示部１０３のある第二筐体１０４をヒンジを用いて回転自在に連結している。
【００２４】
第一筐体１０２には、中空穴のあいた二つのヒンジ固定部１０２ａ、１０２ｂが鎌首を持ち上げたように設けてある。また、第二筐体１０４には中空穴のあいたヒンジ固定部１０４ａを設けている。
【００２５】
第一ヒンジ１０６には、ワンタッチオープン釦１０７と、図示しないバネとカムを予め組み込んである。そして、第一ヒンジ１０６の外周には回り止め用の筋状の小突起１０６ｂをヒンジの軸方向に形成している。筋状の小突起１０６ｂは、第一ヒンジ１０６をヒンジ固定部１０２ａの中空穴に圧入したとき、ヒンジ固定部１０２ａの中空穴の内表面にくい込んで、第一ヒンジ１０６がヒンジ固定部１０２ａの中で回転しないようにしている。なお、第一ヒンジ１０６の外周部分は焼結合金などの導電性の材料を用い、外周表面に突起状のヒンジ抜け止め部１０６ａを突出させている。
【００２６】
接続板金１１２の形状については、図１で左斜め上方から見た斜視図を示しているが、理解しやすくするため、図２に右斜め上方から見た拡大斜視図を示す。接続板金１１２は、端部を断面が三角形となるように折り曲げた第一の接点部１１２ａと、端部を断面がＶ字状になるように折り曲げた第二の接点部１１２ｂと、両接点部を一つの部品として所定の位置に固定するための固定部１１２ｃの三つの部分でできている。接続板金１１２は、板金固定部材１１０に図１の矢印Ｄの方向に固定される。
【００２７】
第二ヒンジ１０８には、図示しないねじりコイルバネを組み込んでいる。第二ヒンジ１０８は、第二筐体１０４のヒンジ固定部１０４ａと第一筐体１０２のヒンジ固定部１０２ｂに設けた穴に矢印Ｆの方向に挿入して固定する。
【００２８】
携帯電話機１００には、その他にプリント基板１１４と、下カバー１１６が組み込まれる。なお、プリント基板１１４の上面にはアース回路を配置していて、携帯電話機１００を組み立てたときに、接続板金１１２がプリント基板１１４のアース回路に当接して電気的に導通するようにしている。
【００２９】
携帯電話機１００の組み立て手順は、まず、第二筐体１０４のヒンジ固定部１０４ａと第一筐体１０２のヒンジ固定部１０２ａ、１０２ｂの中空穴の中心を一致させた状態で、第一ヒンジ１０６を、Ｃ矢印のように第一筐体１０２のヒンジ固定部１０２ａに挿入する。このとき、第一ヒンジ１０６の外周表面に設けた突起状のヒンジ抜け止め部１０６ａを第一筐体１０２のヒンジ固定部１０２ａに設けた切り欠き部１０２ｃに入れていく。
【００３０】
なお、図３に第一筐体１０２のヒンジ固定部１０２ａ近傍の拡大図を示す。第一ヒンジ１０６のヒンジ抜け止め部１０６ａは、ヒンジ固定部１０２ａに設けた切り欠き部１０２ｃの側壁１０２ｄに押し当てる。その後、接続板金１１２をＤ矢印のように板金固定部材１１０に一体に固定し、接続板金１１２を板金固定部材１１０とともにＥ矢印のように、第一筐体１０２に固定する。このとき、接続板金１１２の端部の第一の接点部１１２ａを第一ヒンジ１０６の外周表面に設けた突起状の抜け止め部１０６ａに押し当てる。このことにより、第一ヒンジ１０６の外周表面に設けた突起状の抜け止め部１０６ａは、ヒンジ固定部１０２ａに設けた切り欠き部の側壁１０２ｄと、接続板金１１２の端部の第一の接点部１１２ａで挟まれる。
【００３１】
図４に、携帯電話機１００をヒンジの軸方向に切断した断面図を示す。図４に示すように、第一筐体１０２には、接続板金１１２を一体に固定した板金固定部材１１０が固定されている。そして、接続板金１１２の第一の接点部１１２ａの表面は第一ヒンジ１０６の外周表面に接し、第一の接点部１１２ａの端面は、第一ヒンジ１０６の外周表面に設けた突起状の抜け止め部１０６ａに当たって、ヒンジ固定部１０２ａに設けた切り欠き部の側壁１０２ｄとの間に、抜け止め部１０６ａを挟んでいる。また、接続板金１１２の第二の接点部１１２ｂはプリント基板１１４に接している。
【００３２】
その後の携帯電話機１００の組立作業については、図１のＦ矢印のように、第二ヒンジ１０８を第一筐体１０２のヒンジ固定部１０２ｂに挿入し、先端部を第二筐体１０４のヒンジ固定部１０４ａの穴に圧入する。これで、ワンタッチオープン釦１０７を持つ折り畳み式携帯情報端末装置である携帯電話機１００が組み立つ。
【００３３】
組み立てられた携帯電話機１００は、第一筐体１０２の上に第二筐体１０４を重ねて折り畳んだ状態で持ち運び、使用時には、ワンタッチオープン釦１０７を親指などで押して、第二筐体１０４を片手で開けて使用する。
【００３４】
以上説明したように、接続板金１１２の第一の接点部１１２ａの側面は、第一ヒンジ１０６の抜け止め部１０６ａをヒンジ固定部１０２ａに設けた切り欠き部の側壁１０２ｄで挟んでいる。そのため、第一ヒンジ１０６は挟まれたまま抜け出ることはない。
【００３５】
また、第一ヒンジ１０６の外周は導電性の材料で出来ているので、第一ヒンジ１０６は、第一の接点部１１２ａ、固定部１０２ｃ、第二の接点部１０２ｂを経由してプリント基板１１４のアース回路に接続する。このように、第一ヒンジ１０６の外周は導電性部分の一端をプリント基板１１４に接続し、他端を電気的に浮かせているので、第一ヒンジ１０６はアンテナとして機能する。
【００３６】
図５に、携帯電話機１００を図４のＧ−Ｇで切断した断面図を示す。図５では、接続板金１１２の第一の接点部１１２ａの先端の表面が第一ヒンジ１０６の外周表面に接しているのが見える。また、第一の接点部１１２ａの端面がヒンジ抜け止め部１１６ａの側面に接しているのが見える。なお、接続板金１１２の端面と当たっているヒンジ抜け止め部１１６ａの幅はせまく、ヒンジ固定部１０２ａに設けた切り欠き部１０２ｃの幅もせまい。このように本発明では、狭い空間で第一ヒンジ１０６の抜け止めと接続板金１１２との電気的な接続を実現している。また、ヒンジ固定部１０２ａに設けた切り欠き部１０２ｃの幅がせまいため、第一ヒンジ１０６を圧入保持している第一筐体１０２の剛性を向上させることができ、ヒンジ１０６が抜けにくい構造とすることができる。
【００３７】
図６に、図４のＨ−Ｈ断面図を示す。図６では、接続板金１１２の第二の接点部１１２ｂの先端の表面がプリント基板１１４の図示しないアース回路に接している。
【００３８】
このように、本発明では、接続板金１１２を第一ヒンジ１０６と接触させていると同時に通信制御を行うプリント基板１１４と接触させて、プリント基板１１４と第一ヒンジ１０６を導電させることで、焼結合金などの導電性材料で作った第一ヒンジ１０６を無線通信用のアンテナとして使用している。
【００３９】
また、導電性の第一ヒンジ１０６を介してプリント基板１１４と第２筐体１０４に収納された図示しない通信制御用の基板とを導電させ、プリント基板１１４と第２筐体１０４に収納された図示しない通信制御用のプリント基板とを同電位で接続することで、第１の筐体と第２の筐体とを開いて通信機器として使用する際、グランドを強化することができアンテナ性能を向上させることができる。
【００４０】
なお上記では、第一の接点部１１２ａを断面が三角形となるように折り曲げた例を説明した。接続板金１１２の接点部を略三角形とすることで、曲げ部とは垂直方向の荷重に対して接続板金１１２が変形することなく、第一筐体１０２の短手方向に強い衝撃が与えられた際、第一ヒンジ１０６が第一筐体１０２から飛び出そうとする力を支えることができ、第一ヒンジ１０６の抜け止めを行うことができる。
【００４１】
なお、第一の接点部１１２ａの断面を略四角形や略Ｖ字形など他の多角形になるように曲げてもよいし、略円形などの断面に曲げてもよい。また、第一の接点部１１２ａの先端を折り曲げずに平面のままとしても良い。接続板金１１２に、所定の厚さと幅があれば、抜け出ようとする力を十分に支えることができるからである。
【００４２】
また上記では、第一ヒンジ１０６の抜け止め部１０６ａを、第一ヒンジ１０６の外径よりも突出させて形成した例を説明した。このように、ヒンジ抜け止め部１１６ａを第一ヒンジ１０６の外径よりも突出させて形成することで、第一筐体１０２の短手方向に強い衝撃が与えられた際、第一ヒンジ１０６が第一筐体１０２から飛び出そうとする力を容易に受けることができ、第一ヒンジ１０６の抜け止めを行うことができる。
【００４３】
なお、ヒンジ抜け止め部１１６ａについては、第一ヒンジ１０６を焼結合金で作ることとして、ヒンジ抜け止め部１１６ａが第一ヒンジ１０６をから盛り上がった形に一体化してもよいし、ヒンジ抜け止め部１１６ａをヒンジ抜け止め板金という板金製の一部品として、第一ヒンジ１０６に埋め込んで一部を突出するようにしても良い。ヒンジ抜け止め部１１６ａをヒンジ抜け止め板金としたとしても、接続板金１１２をヒンジ抜け止め板金を埋め込んだ根元近くに配置することで、ヒンジ抜け止め板金を押す位置が、ヒンジ抜け止め板金の曲げ支点から近くすることができる。そのため、荷重が加わった際にも変形し難く、第一筐体１０２の短手方向に強い衝撃が与えられた際、第一ヒンジ１０６が第一筐体１０２から飛び出そうとする力を支えることができ、第一ヒンジ１０６の抜け止めを行うことができる。
【００４４】
また、第一ヒンジ１０６の外周にヒンジ抜け止め用の溝を設け、ヒンジ抜け止め用の溝に接続板金１１２の第一の接点部１１２ａの先端を食い込ませて、第一の接点部１１２ａの端面がヒンジ抜け止め用の溝の側面に当接するようにしてもよい。
【００４５】
以上説明したとおり、本発明の実施の形態１にかかる携帯電話機１００では、第一筐体１０２の短手方向に強い衝撃が与えられた際、第一ヒンジ１０６が第一筐体１０２から飛び出そうとする力が発生したとしても、ヒンジ抜け止め部１０６ａの抜け出ようとする力を、接続板金１１２の端面で支え、第一ヒンジ１０６の抜け止めを行うことができる。
【００４６】
また、接続板金１１２という一つの部品で、ヒンジ部が抜けない抜け止め機能を果たすと同時に、ヒンジをアンテナとして働かせるためにヒンジの電位をプリント基板の電位に落とすという機能を果たしている。
【産業上の利用可能性】
【００４７】
本発明にかかるヒンジの抜け止めに接続板金を備えた携帯情報端末装置は、ヒンジの抜け止め固定をすることができ、接続板金とヒンジとの接点を確保することができ、筐体の剛性を向上させることができ、コストダウン、その他関連部品の成形性及び二次加工性の向上を図ることができるので、ヒンジ部を介して複数の筐体が開閉可能に連結された折り畳み式携帯情報端末装置のヒンジの抜け止め固定等の用途に有用である。
【図面の簡単な説明】
【００４８】
【図１】本発明の実施の形態１に係る携帯電話機の分解斜視図
【図２】本発明の実施の形態１に係る携帯電話機の接続板金の斜視図
【図３】本発明の実施の形態１に係る携帯電話機の一部の分解斜視図
【図４】本発明の実施の形態１に係る携帯電話機のヒンジ部のヒンジの軸に沿って切断した断面図
【図５】本発明の実施の形態１に係る携帯電話機のＧ−Ｇ断面図
【図６】本発明の実施の形態１に係る携帯電話機のＨ−Ｈ断面図
【図７】従来の携帯情報端末装置の外観斜視図
【図８】従来の携帯情報端末装置のヒンジ部の断面図
【図９】従来の他の携帯情報端末装置のヒンジ部の断面図
【符号の説明】
【００４９】
１０２    第一筐体
１０４    第二筐体
１０６    第一ヒンジ
１０６ａ    抜け止め部
１０７    ワンタッチオープン釦
１０８    第二ヒンジ
１１０    板金固定部材
１１２    接続板金
１１４    プリント基板
【図１】
0004840321.tif 000002
【図２】
0004840321.tif 000003
【図３】
0004840321.tif 000004
【図４】
0004840321.tif 000005
【図５】
0004840321.tif 000006
【図６】
0004840321.tif 000007
【図７】
0004840321.tif 000008
【図８】
0004840321.tif 000009
【図９】
0004840321.tif 000010